(57)【特許請求の範囲】
【請求項１】
複数の環(４)を長手方向(Ｌ)に連ねてなるチェーン部材(２)と、
このチェーン部材(２)の一端側に連結された、動物の装備品へ装着するための留め具(１０)と、
前記チェーン部材(２)の他端側に連結された把持具(３０)と
を具備しており、
前記チェーン部材は、前記長手方向(Ｌ)に直線状に延ばした状態で、当該長手方向と直交する第１方向(Ｄ１)から見たチェーン部材(２)の巾(ｗ)が、それら長手方向及び第１方向と直交する第２方向(Ｄ２)から見たチェーン部材(２)の厚み(ｔ)より大きくなるように、前記複数の環(４)に捻り加工を施しており、
かつ第１方向(Ｄ１)から見た前記チェーン部材(２)の複数の環(４)の両側を面一に削る削り加工を施すことにより、当該チェーン部材(２)の両側に、各環(４)の削り面(６)によって形成される平滑な外装面(８)を形成したことを特徴とする、動物用曳き手。
【請求項２】
前記チェーン部材(２)は、長手方向に緊張させた状態で、任意の一つの環(４)の内側で、この環と隣接する両側の環(４)同士の間の隙間(ｇ)が、各環の短手方向の内径(ａ)以下であることを特徴とする、請求項１に記載の動物用曳き手。
【請求項３】
前記留め具(１０)は、リング孔である留め穴(１４)を有するリング状の留め具であり、当該留め穴(１４)が第２方向(Ｄ２)に配向されるようにチェーン部材(２)に対して固定されたことを特徴とする、請求項１又は請求項２に記載の動物用曳き手。
【請求項４】
前記チェーン部材(２)と前記把持具(３０)との間に、チェーン部材(２)側に取り付けられた第１半身(２２ａ)と前記把持具(３０)側に取り付けられた第２半身(２２ｂ)とでなる連結具(２２)が介在されており、
それら前記チェーン部材(２)と連結具(２２)と把持具(３０)とが同一直線状に延びた状態で、この直線上に設置された回転軸(Ａ)の周りで前記第１半身(２２ａ)と第２半身(２２ｂ)とが相互に回転可能に形成したことを特徴とする、請求項１から請求項３のいずれかに記載の動物用曳き手。
【請求項５】
前記連結具(２２)を、前記回転軸(Ａ)の方向に長い棒状に形成したことを特徴とする、請求項４に記載に記載の動物用曳き手。
【発明の詳細な説明】
【技術分野】
【０００１】
本発明は、動物用曳き手、特に乗馬用曳き手に関する。  
【背景技術】
【０００２】
馬の頭部に取り付ける頭絡を、馬の口内に装着する銜の両端に付設された銜環に連結した馬具において、前記銜環にチェーンの先端を連結させたものが知られている（特許文献１）。
【先行技術文献】
【特許文献】
【０００３】
【特許文献１】米国特許第５２３１８１８号
【発明の概要】
【発明が解決しようとする課題】
【０００４】
馬は、繊細で神経質な動物であり、僅かな音にも驚いたり、皮膚に異物が触れる感触にも敏感に反応することが知られている。
特許文献１の馬具では、銜環にチェーンの先端部を連結しているため、その使い方次第では、チェーンが馬体に直接触れることになる。
その場合には、チェーンを構成する一連の環の凸部分が馬体に当たることによる感触が馬にとって負担となる
具体的には、厩務員が馬体に触れるようにチェーンを装着する場合、例えば厩務員から見て馬体の反対側の連結箇所に先端部を固定したチェーンを馬の頭部の上側又は下側を通して手前側へ手繰って、手綱や馬装に取り付ける場合、チェーンが馬体に擦れて、馬の気に障ったり、或いはその摩擦音に馬が驚く可能性がある。
【０００５】
本発明の第１の目的は、動物の肌への当たりの柔らかいチェーン付き動物用曳き手を提供することである。
本発明の第２の目的は、動物の肌に擦れても摩擦音が小さいチェーン付き動物用曳き手を提供することである。
【課題を解決するための手段】
【０００６】
第１の手段は、複数の環４を長手方向Ｌに連ねてなるチェーン部材２と、
このチェーン部材２の一端側に連結された、動物の装備品へ装着するための留め具１０と、
前記チェーン部材２の他端側に連結された把持具３０と
を具備しており、
前記チェーン部材は、前記長手方向Ｌに直線状に延ばした状態で、当該長手方向と直交する第１方向Ｄ１から見たチェーン部材２の巾ｗが、それら長手方向及び第１方向と直交する第２方向Ｄ２から見たチェーン部材２の厚みｔより大きくなるように、前記複数の環４に捻り加工を施しており、
かつ第１方向Ｄ１から見た前記チェーン部材２の複数の環４の両側を面一に削る削り加工を施すことにより、当該チェーン部材２の両側に、各環４の削り面６によって形成される平滑な外装面８を形成した。
【０００７】
本手段では、動物用曳き手は、捻り加工を施した複数の環４からなるチェーン部材２を有する。
このチェーン部材２は、第１方向Ｄ１から見て、図２に示す如く、当該チェーン部材２の複数の環４の両側を面一に削る削り加工を施すことにより、当該チェーン部材２の両側に、各環４の削り面６によって形成される平滑な外装面８を形成している。
この構造によれば、図６（Ｂ）に示す如く、チェーン部材２が動物の肌の上をスライドするときに、前記外装面８を介して滑らかに摺動することにより、肌への当たりが柔らかとなり、かつ摺動音も小さくなる。
【０００８】
第２の手段は、第１の手段を有し、かつ前記チェーン部材２は、長手方向に緊張させた状態で、任意の一つの環４の内側で、この環と隣接する両側の環４同士の間の隙間ｇが、各環の短手方向の内径ａ以下である。
【０００９】
本手段では、図３に示す如く、前記チェーン部材２は、長手方向に緊張させた状態で、任意の一つの環４の内側で、この環と隣接する両側の環４同士の間の隙間ｇが、各環の短手方向の内径ａ以下である。
この構造によれば、隣接又は近接する環４同士がぶつかり合うときの衝突音が小さくなる。
【００１０】
第３の手段は、第１の手段又は第２の手段を有し、かつ前記留め具１０は、リング孔である留め穴１４を有するリング状の留め具であり、当該留め穴１４が第２方向Ｄ２に配向されるようにチェーン部材２に対して固定されている。
【００１１】
本手段では、前記留め具１０が有するリング孔１４が第２方向（図１における紙面と直交する方向）に配向されるように当該留め具１０をチェーン部材２に対して固定している。
この構造によれば、特別にチェーン部材２の向きを整えなくとも、リング孔１４とチェーン部材２の外装面８を同じ向きに配置することができ、使い勝手が良い。
【００１２】
第４の手段は、第１の手段から第３の手段の何れかを有し、かつ前記チェーン部材２と前記把持具３０との間に、チェーン部材２側に取り付けられた第１半身２２ａと前記把持具３０側に取り付けられた第２半身２２ｂとでなる連結具２２が介在されており、
それら前記チェーン部材２と連結具２２と把持具３０とが同一直線状に延びた状態で、この直線上に設置された回転軸Ａの周りで前記第１半身２２ａと第２半身２２ｂとが相互に回転可能に形成した。
【００１３】
本手段では、図４に示す如く、前記チェーン部材２と前記把持具３０との間に介在させた連結具２２を、チェーン部材２側の第１半身２２ａと把持具側の第２半身２２ｂとで形成し、前記チェーン部材２と連結具２２と把持具３０とが同一線上に延びた状態で、それら第１半身２２ａと第２半身２２ｂとを当該直線状に位置する回転軸Ａの回りで回転可能に連結させている。
この構造によれば、図５（Ａ）に矢示するように、前記第１半身２２ａに対して前記第２半身２２ｂを回転させることにより、チェーン部材２のねじれを簡単に修正することができる。
【００１４】
第５の手段は、第４の手段を有し、かつ前記連結具２２を、前記回転軸Ａの方向に長い棒状に形成した。
【００１５】
本手段では、図１に示す如く、前記連結具２２を、前記回転軸Ａの方向に長い棒状に形成した。
この形状によれば、本発明の動物用曳き手を、動物の身体に装備させるときに、前記連結具２２で動物の身体を傷つけることがない。
【発明の効果】
【００１８】
第１の手段に係る発明によれば、チェーン部材２の複数の環４の両側を面一に削る削り加工を施すことにより、当該チェーン部材２の両側に、各環４の削り面６によって形成される平滑な外装面８を形成したから、チェーン部材２が動物の肌の上をスライドするときに、前記外装面８を介して滑らかに摺動することにより、肌への当たりが柔らかとなり、かつ摺動音も小さくなる。
第２の手段に係る発明によれば、前記チェーン部材２は、長手方向に緊張させた状態で、任意の一つの環４の内側で、この環と隣接する両側の環４同士の間の隙間ｇが、各環の短手方向の内径ａ以下であるから、隣接又は近接する環４同士がぶつかり合うときの衝突音が小さくなる。
第３の手段に係る発明によれば、前記留め具１０が有するリング孔１４が第１方向Ｄ１に配向されるように当該留め具１０をチェーン部材２に対して固定したから、リング孔１４とチェーン部材２の外装面８を同じ向きに配置することができ、使い勝手が良い。
第４の手段に係る発明によれば、前記チェーン部材２と前記把持具３０との間に介在させた連結具２２を、チェーン部材２側の第１半身２２ａと把持具３０側の第２半身２２ｂとで形成し、これら第１半身２２ａと第２半身２２ｂとを回転軸Ａの周りで回転可能に連結させたから、チェーン部材２のねじれを簡単に修正することができる。
第５の手段に係る発明によれば、前記連結具２２を、前記回転軸Ａの方向に長い棒状に形成したから、動物の身体を傷つけることがない。
【図面の簡単な説明】
【００１９】
【図１】本発明の実施形態に係る動物用曳き手の側面図である。
【図２】図１の動物用曳き手のチェーン部材の一部拡大図である。
【図３】図２のチェーン部材の環の拡大図である。
【図４】図１の動物用曳き手の中間部を省略した斜視図である。
【図５】図１の動物用曳き手の作用説明図であり、同図（Ａ）はチェーン部材の捩れを修正する作業を示す図を、同図（Ｂ）は捩れを修正した状態を示す図である。
【図６】チェーンが動物の身体の上をスライドする様子を示した図であり、同図（Ａ）は削り面があるチェーンを、同図（Ｂ）は削り面がないチェーンをそれぞれ示している。
【図７】図１の動物用曳き手を動物に装着する様子の説明図である。
【発明を実施するための最良の形態】
【００２０】
図１から図７は、本発明の実施形態に係る動物用曳き手１を示している。
この動物用曳き手は、チェーン部材２と、留め具１０と、連結部材２０と、把持具３０とで形成されている。
もっとも連結部材２０は省略することができる。
【００２１】
チェーン部材２は、複数の環４を長手方向Ｌに連ねてなる。
このチェーン部材２には、捻り加工を施されている。
具体的には、チェーン部材２が長手方向Ｌに直線状に延ばされた状態で、当該長手方向と直交する第１方向Ｄ１から見たチェーン部材２の巾ｗが、それら長手方向及び第１方向と直交する第２方向Ｄ２から見たチェーン部材２の厚みｔより大きくなるように、前記複数の環４に捻り加工が施されている。
チェーン部材２は、例えばステンレスなどの金属で形成することができる。
また前記チェーン部材２は、非溶接型のタイプとすることができる。
【００２２】
当該チェーン部材２の両側には、一対の平滑な外装面８が形成されている。
これら外装面８は、第１方向Ｄ１から見た前記チェーン部材２の複数の環４の両側を面一に削る削り加工を施すことにより、それら環４の削り面６によって形成されている。
外装面８は、動物の肌の上で擦れたときに、その肌への当たりを柔らかくする意味、及び、及び、摩擦音を小さくする意味がある。
また前記チェーン部材２の表面を、塗料などでカラーリングして外観を美しく装ってもよい。
【００２３】
前記各環４は、前記チェーン部材２を長手方向に緊張させた状態で、図３に示すように、ある一つの環４の内側において、この環と隣接する両側の環４同士の間の隙間ｇが、各環の短手方向の内径ａ以下であるように形成している。
この構造によれば、図３に示す中央の環４の両側の環４同士の隙間ｇが小さいので、これらの両環４同士（或いは中央の環４と両側の環４）がぶつかりあっても、その衝突音を小さくすることができる。
例えばチェーン部材２を手にぶら下げた状態から、その手を急に下げると、チェーン部材２を構成する各環４が一時的に自由落下し、その落下状態が解消された後に、隣り合う  環４同士が衝突するが、そのときの衝突音も馬を驚かすおそれがある。
しかしながら、本実施形態の構造では、その衝突音を低減することができる。
【００２４】
留め具１０は、前記チェーン部材２の一端側に連結された、動物の装備品へ装着するための部材である。
図示例の留め具１０は、リング孔である留め穴１４を有するリング状であり、その留め穴１４が第２方向Ｄ２に配向されるようにチェーン部材２に対して固定されている。
【００２５】
連結部材２０は、図１に示す状態で、前記チェーン部材２と前記把持具３０との間に介在され、チェーン部材２に対して、その長手方向回りの把持具３０の回転を可能とする連結具２２を有する。
この連結具２２は、チェーン部材２側に取り付けられた第１半身２２ａと前記把持具３０側に取り付けられた第２半身２２ｂとでなり、これら両半身の一方から回転軸Ａに沿って突出する軸棒（図示せず）を、他方に設けた軸穴（図示せず）に抜け出し不能に可能させている。
図示の連結具２２は、前記回転軸Ａの方向に長い棒状に形成している。
本実施形態では、前記把持具３０と前記連結具２２との間に第１連結リング２４が、また前記連結具２２と前記チェーン部材２との間に第２連結リング２６が夫々設けられている。
これら第１連結リング２４及び第２連結リング２６は、長円状に形成されている。各連結リングは、従来周知のように、その長径方向の中間部で２個のＵ字状部に分割され、これらＵ字状部の一方の端部同士を枢着するとともに、他方の端部同士を着脱可能に連結させている。
【００２６】
把持具３０は、前記チェーン部材２の他端側に連結されている。この把持具３０は、公知の構造であり、手綱を挿通させるための挿通穴３２を有する。もっとも、この挿通穴は省略することができる。
図示例の把持具３０は、釣り針形状の把持具本体３０ａと、この把持具本体の一端部の枢着点３０に枢着された押込み棒３０ｂを有し、これら把持具本体と押込み棒３０ｂとで挿通穴３２を形成している。前記押込み棒３０ｂは、押込み棒３０ｂの先端部を、外側へ付勢させた状態で、前記把持具本体３０ａの他端部の内面に圧接させており、その付勢力を超えた力で内方へ押すと、内方へ回転するように形成されている。
【００２７】
前記構成において、動物用曳き手１を馬の頭絡４０に装着するときには、図７に示すように、銜４２の片側に付設された銜環４４にチェーン部材２を通して、その銜環４の上側の頭絡との連結箇所４１に留め具１０を留め付け、さらにチェーン部材２を馬の面の上を通して、反対側の銜環４に挿通させればよい。
このときに馬の肌にチェーン部材２の環４が触れても、各環４の削り面６を設けているから、馬の皮膚への当たりが柔らかく、また摩擦音も小さい。  
【００２８】
［実施例１］
下記の表は、チェーン部材２の環４に削り面６を設けたものと、そうでないものとのを関して、被験対象である肌に接触させて、摩擦音の大きさを比較した実験の結果を示している。
測定条件としては、環の長径が２４ｍｍで短径が１５ｍｍの大きさであって原線径が４ｍｍで削り加工を施した縮径部の線径が３ｍｍ（削り幅が１ｍｍ）のもの、環の長径が１８ｍｍで短径が１０ｍｍの大きさであって原線径が３ｍｍで削り加工を施した縮径部の線径が２．８ｍｍ（削り幅が０．２ｍｍ）のものについてそれぞれ測定をした。
同表に示す通り、削り面６を設けた場合の摩擦音は、そうでない場合の摩擦音に比べて、約４デシベルほど小さいことが確認された。
【表１】
0006746263.tif 000002
【００２９】
［実施例２］
下記の表は、チェーン部材２の環４の長径・内径・間隙・線径を変えて、チェーン部材の一端を把持し、他端を同じ高さから落下させてその衝突音の音を即製した結果を示す。
内径ａに比べて間隙ｇが小さいものの方が、衝突音が小さいことが確認された。  
【表２】
0006746263.tif 000003
【符号の説明】
【００３０】
２…チェーン部材  ４…環  ６…削り面  ８…外装面
１０…留め具  １２…留め具本体  １４…留め穴  １６…補助リング
２０…連結部材  ２２…連結具  ２２ａ…第１半身  ２２ｂ…第２半身  
２４…第１連結リング  ２６…第２連結リング
３０…把持具  ３０ａ…把持具本体  ３０ｂ…押込み棒  ３１…連結穴
３２…挿通穴  ３４…枢着点
４０…頭絡  ４１…連結箇所  ４２…銜  ４４…銜環
Ａ…回転軸  ａ…内径    ｇ…隙間  ｄ…内径  
Ｌ…長手方向  Ｄ１…第１方向  Ｄ２…第２方向  t…厚み  ｗ…巾  
【要約】
【課題】動物の肌への当たりの柔らかいチェーン付き動物用曳き手を提供する。
【解決手段】複数の環４を長手方向Ｌに連ねてなるチェーン部材２と、このチェーン部材２の一端側に連結された、動物の装備品へ装着するための留め具１０と、前記チェーン部材２の他端側に連結された把持具３０とを具備している。前記チェーン部材は、前記長手方向Ｌに直線状に延ばした状態で、当該長手方向と直交する第１方向Ｄ１から見たチェーン部材２の巾ｗが、それら長手方向及び第１方向と直交する第２方向Ｄ２から見たチェーン部材２の厚みｔが大きくなるように、前記複数の環４に捻り加工を施しており、かつ第１方向Ｄ１から見た前記チェーン部材２の複数の環４の両側を面一に削る削り加工を施すことにより、当該チェーン部材２の両側に、各環４の削り面６によって形成される平滑な外装面８を形成した。
【選択図】図１【図１】
0006746263.tif 000004
【図２】
0006746263.tif 000005
【図３】
0006746263.tif 000006
【図４】
0006746263.tif 000007
【図５】
0006746263.tif 000008
【図６】
0006746263.tif 000009
【図７】
0006746263.tif 000010